【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  複数種類の識別情報を可変表示可能な可変表示装置を有し、所定条件を満たすことによって大当りとすることが遊技制御手段により決定されたときに、該遊技制御手段から送信される演出態様種別を指示する演出態様指示コマンドにもとづいて前記可変表示装置における識別情報の可変表示制御を含む表示制御を表示制御手段により行わせ、前記識別情報の変動表示結果を大当り表示態様とするとともに、前記遊技制御手段により遊技状態を遊技者にとって有利な特定遊技状態とする遊技機であって、
前記識別情報の可変表示に関連した補助演出を実行する補助演出制御を行う補助演出制御手段を備え、
前記表示制御手段と前記補助演出制御手段とのうちのいずれか一方は、
前記遊技制御手段からの演出態様指示コマンドの受信にもとづいて、識別情報の変動表示結果が所定の表示態様となることを予告する予告演出の演出内容を予め用意されている複数種類の演出内容の中から決定する予告演出決定手段と、
前記遊技制御手段から受信したコマンドが前記補助演出制御手段と前記表示制御手段とのうちの他方の制御手段に送信すべきコマンドであるか否かを判定する判定手段と、
前記判定手段により前記他方の制御手段に送信すべきコマンドであると判定されたときに、前記遊技制御手段から受信したコマンドを前記他方の制御手段に送信する第１演出制御コマンド送信手段と、
前記予告演出決定手段が決定した予告演出の演出内容を示す予告演出指示コマンドを前記他方の制御手段に送信する第２演出制御コマンド送信手段とを含む
ことを特徴とする遊技機。
【請求項２】  補助演出制御手段は、音出力部における音出力態様を制御する音制御手段または発光部における明滅態様を制御する発光制御手段の少なくとも何れか一方である
請求項１記載の遊技機。
【請求項３】  第２演出制御コマンド送信手段は、予告演出に用いられるキャラクタの種別または予告演出における識別情報の変動態様の種別の少なくとも何れか一方を示す情報を含む予告演出指示コマンドを送信する
請求項１または請求項２記載の遊技機。
【請求項４】  第２演出制御コマンド送信手段は、音出力部における音出力態様と発光部における明滅態様とを指示する予告演出指示コマンドを送信する
請求項１から請求項３のうちいずれかに記載の遊技機。
【手続補正２】
【補正対象書類名】明細書
【補正対象項目名】０００７
【補正方法】変更
【補正の内容】
【０００７】
【課題を解決するための手段】
本発明の第一の観点にかかる遊技機は、図１に示すように、複数種類の識別情報を可変表示可能な可変表示装置（例えば、可変表示装置６）を有し、所定条件を満たすことによって大当りとすることが遊技制御手段（例えば、ＣＰＵ３３を含む遊技制御手段３３ａ）により決定されたときに、遊技制御手段から送信される演出態様種別（例えば、予告を示す所定の変動表示に合わせて実行される演出態様の種別）を指示する演出態様指示コマンド（例えば、変動パターンコマンド８０ＸＸ（Ｈ））にもとづいて可変表示装置における識別情報の可変表示制御を含む表示制御を表示制御手段（例えば、表示制御用ＣＰＵ８１を含む表示制御手段８１ａ）により行わせ、識別情報の変動表示結果を大当り表示態様（例えば、大当り遊技状態）とするとともに、遊技制御手段により遊技状態を遊技者にとって有利な特定遊技状態とする遊技機であって、識別情報の可変表示に関連した補助演出を実行する補助演出制御を行う補助演出制御手段（例えば、ランプ制御用ＣＰＵ６０と音制御用ＣＰＵ７１の少なくとも何れか一方を含む補助演出制御手段１００ａ）を備え、表示制御手段と補助演出制御手段とのうちのいずれか一方が、遊技制御手段からの演出態様指示コマンドの受信にもとづいて、識別情報の変動表示結果が所定の表示態様となることを予告する予告演出（例えば、リーチ予告演出、大当り予告演出）の演出内容を予め用意されている複数種類の演出内容の中から決定する予告演出決定手段と、遊技制御手段から受信したコマンドが補助演出制御手段と表示制御手段とのうちの他方の制御手段（予告演出決定手段が表示制御手段に含まれる場合には他方の制御手段は補助演出制御手段、予告演出決定手段が補助演出制御手段に含まれる場合には他方の制御手段は表示制御手段）に送信すべきコマンドであるか否かを判定する判定手段と、判定手段により他方の制御手段に送信すべきコマンドであると判定されたときに、遊技制御手段から受信したコマンドを他方の制御手段に送信する（例えば、ステップＳ７５４にて設定した制御コマンドをステップＳ７０７にて送信する）第１演出制御コマンド送信手段と、予告演出決定手段が決定した予告演出の演出内容を示す予告演出指示コマンド（例えば、予告指定コマンドＥ０ＸＸ（Ｈ））を他方の制御手段に送信する（例えば、ステップＳ８１７にて設定した制御コマンドをステップＳ７０７にて送信する）第２演出制御コマンド送信手段とを含むことを特徴としている。
【手続補正３】
【補正対象書類名】明細書
【補正対象項目名】０００９
【補正方法】変更
【補正の内容】
【０００９】
この場合、補助演出制御手段は、音出力部（例えば、スピーカ２７）における音出力態様を制御する音制御手段（例えば、音制御用ＣＰＵ７１を含む音制御手段）または発光部（例えば、ランプ・ＬＥＤ）における明滅態様を制御する発光制御手段（例えば、ランプ制御用ＣＰＵ６０を含むランプ制御手段）の少なくとも何れか一方であるように構成されていてもよい。このように構成すれば、表示制御手段と、音制御手段と発光制御手段の少なくとも何れか一方とにより行われる予告演出の演出内容の決定に関する遊技制御手段の処理負担を軽減させることができるとともに、それらの複数の演出制御手段を用いて行われる予告演出において同期ずれが生じてしまうことを防止することができる。
【手続補正４】
【補正対象書類名】明細書
【補正対象項目名】００１０
【補正方法】変更
【補正の内容】
【００１０】
また、第２演出制御コマンド送信手段は、予告演出に用いられるキャラクタの種別（例えば、予告演出に用いるキャラクタの種類）または予告演出における識別情報の変動態様の種別（例えば、予告演出として実行される「すべり」や「もどり」などの識別情報の変動態様の種類）の少なくとも何れか一方を示す情報を含む予告演出指示コマンドを送信する構成とされていてもよい。このように構成されている場合には、予告演出に用いられるキャラクタの種別の決定や予告演出における識別情報の変動態様の種別の決定に関する遊技制御手段の処理負担を軽減させることができる。
【手続補正５】
【補正対象書類名】明細書
【補正対象項目名】００１１
【補正方法】変更
【補正の内容】
【００１１】
さらに、第２演出制御コマンド送信手段が、音出力部における音出力態様と発光部における明滅態様とを指示する予告演出指示コマンドを送信するように構成されていてもよい。このように構成されている場合には、音出力態様の指示と明滅態様の指示を共通のコマンドによって行うことができる。
【手続補正６】
【補正対象書類名】明細書
【補正対象項目名】０２２９
【補正方法】変更
【補正の内容】
【０２２９】
【発明の効果】
以上のように、本発明によれば、複数の演出制御手段を用いて行われる予告演出の演出内容の決定に関する遊技制御手段の処理負担を軽減させることができるとともに、複数の演出制御手段を用いて行われる予告演出において同期ずれが生じてしまうことを防止することができる。